(57)【要約】      （修正有）【課題】より自然に容易に握ることが可能であり、かつ、適切な位置を握れたことが触覚を通じて把握される、つまり、いわゆるフィット感が感じられるゴルフクラブのグリップを提供する。【解決手段】軸対称形状断面を有する有底筒体である第一のグリップ１と、軸対称形状断面を有する筒体である第二のグリップ２とからなるゴルフクラブのグリップとする。第一のグリップ１と第二のグリップ２のどちらか一方又は両方は円錐台形状（テーパー形状）とすることができる。【選択図】図１
0003223972.tif 000002
【実用新案登録請求の範囲】
【請求項１】
軸対称形状断面を有する有底筒体である第一のグリップと、
軸対称形状断面を有する筒体である第二のグリップとからなり、
該第一のグリップと該第二のグリップはゴルフクラブのシャフトに取り付け可能とされている、
ことを特徴とする、ゴルフクラブのグリップ。
【請求項２】
前記第一のグリップは円錐台形状の有底筒体であり、
前記第二のグリップは円錐台形状の筒体である、
ことを特徴とする、請求項１に記載のゴルフクラブのグリップ。
【請求項３】
前記第一のグリップは円錐台形状の有底筒体であり、
前記第二のグリップは紡錘台形状の筒体である、
ことを特徴とする、請求項１に記載のゴルフクラブのグリップ。
【請求項４】
前記第一のグリップの先端部と前記第二のグリップの底部が、これらグリップよりも径の小さな円筒連結体にて結合されている、
ことを特徴とする、請求項１乃至請求項３のいずれかに記載のゴルフクラブのグリップ。
【請求項５】
請求項１乃至請求項４のいずれかに記載のゴルフクラブのグリップを備えたことを特徴とする、ゴルフクラブ。
【考案の詳細な説明】
【技術分野】
【０００１】
本考案は、ゴルフクラブのグリップ及びこれを備えたゴルフクラブに関するものである。より詳しくは、より自然に容易に握ることが可能であり、かつ、適切な位置を握れたことが触覚を通じて把握される、つまり、いわゆるフィット感を感じられるように工夫された特有の形状を備えることを特徴とする、練習用を含むゴルフクラブのグリップ及びこれを備えたゴルフクラブに関する。
【背景技術】
【０００２】
一般にゴルフクラブのグリップは円筒形状又は円錐台形状（テーパー形状）の筒状体とされており、ゴルフクラブのシャフトをその筒状体の穴に嵌挿固定して使用される。このようなグリップの形態は、ゴルフ競技としてのルールや伝統的価値観によって広く使用されてきているのであるが、純粋に技術的には、すなわち、人間工学的観点も含めて検討するならば理想の形態とはいいがたい。
【０００３】
そもそも人間の手の構造上、円筒形、すなわち、断面形状が軸方向に一定であるグリップは握りやすいものではない。各指によって長さも握力も異なるのであるにもかかわらずすべての指が同じ径を握ることになるのであるから、円筒形が人間の手に取って不自然であることは直感的に理解される。熟練者ではこれを訓練・経験や慣れによって克服しているものであるが、初心者ではグリップを不自然な握り方をして正しいスイングを困難にしてしまうことは少なくない。
【０００４】
また、円筒形ではグリップを握る位置が変わっても形状・寸法に変化が無いため、適切な位置でグリップを握ったことが触感を通じて把握されるといういわゆるフィット感が得られないことも不便である。常にグリップの一定の正しい位置を握ることは正しいスイングやショットの基本であり、フィット感の不足は特に初心者にとって大きな問題である。
【０００５】
一方、ゴルフクラブの先側に向かって径が細くなるテーパー形状のグリップでは上記問題が幾分緩和される。まず、テーパー形状のグリップは円筒形状のグリップと比較して、多くの人にとって単純に握りやすく感じられることが多い。これには、握る位置を微妙に変えることでグリップの径が微妙に変化するので、各人が最も握りやすい位置を選択できる余地があることを含む。
【０００６】
次に、グリップを握る位置によってグリップの径が変化するので、触覚を通じて適切な位置でグリップを握ったことを把握しやすい、つまり、フィット感が得られやすい。しかし、ゴルフクラブのグリップは両手で握ることが普通であり、円錐台形状のグリップでは、一方の手にはフィットしても、他方の手には太すぎたり細すぎたりする場合が生じるという課題がある。
【０００７】
これまでにも、前記課題を解決しようとした考案・発明は数多くなされており、例えば、公開実用新案公報Ｈ１−８０１７３には、ゴルフクラブのグリップに取り付けて使用する練習具が開示されている。これは、ゴルフクラブのグリップに取り付けた際に、両手の親指を挿入できる挿入孔が二つ設けられ、このそれぞれに両手の親指を挿入すると親指から派生する両手の位置決めが立体的になされるという優れた特徴を備える。しかしながら、親指を挿入できる挿入孔を備えるなどの複雑な断面形状のグリップの使用は、ほとんどの場合認められておらず、あくまでも練習用としての使用しかできない。
【先行技術文献】
【特許文献】
【０００８】
【特許文献１】公開実用平成１−８０１７３号公報
【考案の概要】
【考案が解決しようとする課題】
【０００９】
本考案が解決しようとする課題は、両方の手に自然なフィット感が得られ、以てゴルフクラブのグリップを適切な位置で握ったことが触覚を通じて初心者でも容易に知得可能で、しかも、単純な断面形状で多くの場面で利用可能なゴルフクラブのグリップ及びこれを備えたゴルフクラブを提供することである。
【課題を解決するための手段】
【００１０】
（１）上記課題を解決するため、本考案においては、
軸対称形状断面を有する有底筒体である第一のグリップと、
軸対称形状断面を有する筒体である第二のグリップとからなり、
該第一のグリップと該第二のグリップはゴルフクラブのシャフトに取り付け可能とされている、
ことを特徴とする、ゴルフクラブのグリップとしている。
【００１１】
第一のグリップは軸対称形状断面を有する有底筒体とされるが、これは例えば底のある円筒形である。筒体であるのでその軸に沿って孔が設けられるのであるが、ここにゴルフクラブのシャフトを嵌挿固定して、ゴルフクラブのグリップの一部として使用する。なお、第一のグリップの形状としては円筒形限られず、例えば円錐台形状であってその軸に沿って一端には開口しているが他端は開口していない非貫通孔が設けられた形状など、様々な形状とすることができる。
【００１２】
第二のグリップは軸対称形状断面を有する筒体とされるが、全体的な形状が円筒形状や円錐台形状を含む様々な形状とできることは第一のグリップの場合と同様である。ただし、第二のグリップはその軸に沿って設けられる穴が貫通孔である点が異なる。この貫通孔にゴルフクラブのシャフトを嵌挿固定してゴルフクラブのグリップの一部として使用する。
【００１３】
ゴルフクラブのシャフトにまず第二のグリップを取り付け、つづけて第一のグリップを取り付けることで、グリップが２つ取り付けられたゴルフクラブとなるのだが、これら２つのグリップは一体としてゴルフクラブのグリップとして使用される。すなわち両手で第一のグリップと第二のグリップをそれぞれ握って使用する。
【００１４】
このようにすると、両手のそれぞれにあわせて最適な第一のグリップ、第二のグリップを使用できるので、例えば、右手と左手で握りやすい円筒形状のグリップの径が異なる場合でも、それぞれの手で握りやすい最適なグリップを選択可能となる。
【００１５】
（２）上記課題を解決するため、本考案においては、
前記第一のグリップは円錐台形状の有底筒体であり、
前記第二のグリップは円錐台形状の筒体である、
ことを特徴とする、（１）に記載のゴルフクラブのグリップとしている。
【００１６】
円錐台形状の有底筒体である第一のグリップとは、ゴルフクラブのシャフトに取り付けた際に先端（ヘッド側）に向かって徐々に径が細くなっていくようにされた形状としたものであり、一般にテーパー形状などと呼ばれるグリップの形状である。これの軸に沿って、径が細い方の端部（先端側）に開口する孔が設けられ、ここにゴルフクラブのシャフトを嵌挿固定してグリップとして使用する。
【００１７】
円錐台形状の筒体である第二のグリップとは、全体的な形状は第一のグリップの場合と同様である。ただし、第二のグリップはその軸に沿って設けられる穴が貫通孔である点が異なる。
【００１８】
このような、円錐台形状の第一のグリップ及び第二のグリップをゴルフクラブのシャフトに取り付けてグリップとして使用した場合、両手のそれぞれで円錐台形状のグリップを握ることになる。円錐台形状のグリップは、それ自体が手で自然に握りやすい他、握った位置によってその径が異なることから、正しい位置で握った際の感覚を一度覚えると、再度そのグリップを握った際に触覚を通じて正しい位置でグリップを握れていることが把握できるという、いわゆるフィット感に優れている。また、右手と左手で第一のグリップ及び第二のグリップという別々の円錐台形状のグリップを握るので、それぞれの手に最もフィットする形のグリップを選択可能で、一方の手には適切だが他方の手には太すぎたり細すぎたりして握りにくい、というような不都合も発生しない。
【００１９】
（３）上記課題を解決するため、本考案においては、
前記第一のグリップは円錐台形状の有底筒体であり、
前記第二のグリップは紡錘形状の筒体である、
ことを特徴とする、（１）に記載のゴルフクラブのグリップとしている。
【００２０】
紡錘形状の筒体である第二のグリップとは、該グリップの先端部および底部の径が小さくその中央部の径が大きくされている、いわゆる紡錘形のグリップである。この軸に沿って、先端部から底部に貫通孔が設けられる点では（１）や（２）の場合と同様である。
【００２１】
本考案に係るゴルフクラブのグリップを握る場合、一方の手で第一のグリップを、他方の手で第二のグリップを握ることになるが、この場合には両の手はバラバラではなく接触する状態で握ることでしっかりとした安定感が得られる。この場合、第二のグリップの底部（ヘッド側と逆方向の端部）の径が大きいと、第一のグリップの先端部（ヘッド側）との径の違いによってグリップの連続感が損なわれてしまう。そこで、第二のグリップの底部の径を第一のグリップの先端部の径と同程度に小さくすることで、本考案に係るゴルフクラブのグリップを握った際の安定感・連続感を改善するのである。
【００２２】
（４）上記課題を解決するため、本考案においては、
前記第一のグリップの先端部と前記第二のグリップの底部が、これらグリップよりも径の小さな円筒連結体にて結合されている、
ことを特徴とする、（１）〜（３）のいずれかに記載のゴルフクラブのグリップとしている。
【００２３】
第一のグリップと第二のグリップを取り付けて、ゴルフクラブのグリップとして使用することの利点はすでに説明したとおりであるが、第一のグリップをゴルフクラブのシャフトに取り付けた際にはその位置は非常に正確に決定する。なぜなら、第一のグリップの軸に沿って設けられた有底の孔にシャフトを嵌挿固定するのであるから、孔の底にシャフトの端部が突き当たることで正確な位置決めが実現するからである。しかし、第二のグリップの軸に沿って設けられた孔は貫通孔であり、ゴルフクラブのシャフトを挿入しても軸方向に自由に位置が決められてしまうからである。
【００２４】
これは、グリップを交換したりした場合に依然と状態が変わってしまう恐れがあるという点で好ましくない。そこで、第二のグリップの底部（ゴルフクラブのシャフトに取り付けた際に先端側（ヘッド側）と逆方向の端部）と、第一のグリップの先端部（ゴルフクラブのシャフトに取り付けた際に先端側（ヘッド側）の方向の端部）との間を円筒形状の連結体（円筒連結体）で接続して一体としておき、これによって、第一のグリップをゴルフクラブのシャフトに取り付けると自動的に第二のグリップの位置が正確に決定するようにする。
（５）上記課題を解決するため、本考案においては、
前記（１）〜（４）のいずれかに記載のゴルフクラブのグリップを備えたことを特徴とする
ゴルフクラブとしている。
【００２５】
グリップやシャフト、ヘッドなどを好みに応じて組み合わたゴルフクラブはかつてから使用されてきた一方、近年ではグリップやシャフト・ヘッドをあらかじめ固定した組み合わせで組み立てた状態で販売することも広く行われる。本考案に係るゴルフクラブのグリップをあらかじめ備えたゴルフクラブがこのような販売形態においても入手可能であれば、ゴルフクラブに強いこだわりのない利用者にとっての利便性が高まる。
【考案の効果】
【００２６】
（１）ゴルフクラブのグリップを軸対称形状断面を有する有底筒体である第一のグリップと、軸対称形状断面を有する筒体である第二のグリップとで構成したので、両手のそれぞれに適した径のグリップを選択することが可能となり、これを備えたゴルフクラブが、利用者それぞれが応じて正しい位置でグリップを握りやすく使いやすいものとなるという効果が得られる。
【００２７】
また、前記のような特徴にもかかわらず軸対称の単純な形状の断面を有するグリップであるので、これを備えたゴルフクラブは練習用に限らず様々な場面で使用可能となる。
【００２８】
（２）第一のグリップ及び第二のグリップを円錐台形状（テーパー形状）としたので、これを備えたゴルフクラブでは、使用者が両手それぞれでそれぞれのグリップを握った際に、正しい位置で握ることができたことを触覚を通じて把握できる、つまり、フィット感に優れているものを実現できるという効果が得られる。
【００２９】
また、円錐台形状（テーパー形状）であるにもかかわらず、両手のそれぞれに適した径のグリップを選択可能であるという効果は変わらない。
【００３０】
（３）第二のグリップを紡錘形状としたので、グリップを握った際の安定感・連続感を改善することができる。
【００３１】
（４）第一のグリップと第二のグリップの間を円筒連結体で接続して一体の構造としたので、ゴルフクラブのシャフトに取り付けた場合に常に一定の位置にグリップを取り付けることができるという効果が得られる。
【００３２】
（５）（１）〜（４）に係るゴルフクラブのグリップをあらかじめ備えたゴルフクラブとしたので、利用者がこのようなグリップを備えたゴルフクラブを容易に入手利用することができる。
【図面の簡単な説明】
【００３３】
【図１】本考案に係るゴルフクラブのグリップの一実施例を示す説明図である。
【図２】本考案に係るゴルフクラブのグリップの一実施例を示す説明図である。
【図３】本考案に係るゴルフクラブのグリップの一実施例を示す説明図である。
【考案を実施するための形態】
【００３４】
以下、本考案に係るゴルフクラブのグリップの実施例について図面を用いて説明する。
【実施例１】
【００３５】
図１（Ａ）は本考案に係るゴルフクラブのグリップの一実施例をゴルフクラブのシャフトに取り付けた状態を示す説明図であり、同図（Ｂ）はこれの断面を示す説明図である。
【００３６】
本考案に係るゴルフクラブのグリップは、第一のグリップ（１）と第二のグリップ（２）からなり、本実施例ではいずれもＥＰＤＭ（エチレンプロピレンジエンゴム）製としたが、天然ゴムを含む様々な材料で本グリップを製造することが可能である。
【００３７】
本実施例では、第二のグリップ（２）は、第一のグリップ（１）とほぼ同じ形状大きさとしている。すなわち、先端方向（ゴルフクラブに取り付けた際のヘッド側で図の右方向）に向けて徐々に径が細くなる円錐台形状であり、孔（２ｂ）が設けられ、これが先端開口部（２ｃ）に開口する。ただし、第二のグリップ（２）の底部（２ａ）は第一のグリップ（１）の場合と異なり開口している。つまり、孔（２ｂ）が第二のグリップ（２）を貫通しているので図に示すようにゴルフクラブのシャフト（３）の端部ではなく中間部分に取付を行うことができるのである。
【００３８】
なお、第一のグリップ（１）の場合同様、ゴルフクラブのシャフト（３）には図示しない両面テープを巻き付けて第二のグリップ（２）の孔（２ｂ）との間で強固に固定することは同じである。
【００３９】
このような構成とすることで、両手のそれぞれで最適な太さの第一のグリップと第二のグリップを握ることができ、それぞれのグリップが握る位置によって径が異なる円錐台形状であることから適切な位置で握った際にそのことが触覚を通じて把握可能であり、いわゆるフィット感に優れたゴルフクラブのグリップが得られることになる。
【実施例２】
【００４０】
図２（Ａ）は本考案に係るゴルフクラブのグリップの別の一実施例をゴルフクラブのシャフトに取り付けた状態を示す説明図であり、同図（Ｂ）はこれの断面を示す説明図である。本実施例は、ほとんどの構成を実施例１と共通にするため、実施例１と共通である部分についての説明は省略する。
【００４１】
さて、本実施例では、第一のグリップ（１）の先端部分（１ｃ）と第二のグリップ（２）の底部（２ａ）が円筒連結体（４）にて結合されていることが特徴である。断面図から明らかなとおり、本実施例では第一のグリップ（１）と第二のグリップ（２）、及び、円筒連結体（４）は一体に作られているため一つの部材となっているが、これらを別部材として準備して接着する等することも可能である。
【００４２】
円筒連結体（４）は、第一のグリップ（１）と第二のグリップ（２）をつなぐ筒であるが、その径は第一のグリップ（１）や第二のグリップ（２）の径よりも細く設定している。円筒連結体（４）の径が太いと、使用者がグリップを握る際の障害になる場合があるからである。
【００４３】
さて、円筒連結体（４）によって第一のグリップ（１）と第二のグリップ（２）が一体となっているので、本考案に係るゴルフクラブのグリップをゴルフクラブのシャフトに取り付けた際に、第一のグリップ（１）と第二のグリップ（２）の位置関係は常に一定で安定したものとなる。これにより、ゴルフクラブの組み立て時の誤差で、ゴルフクラブに個体差が出てしまうという不都合が防止される。
【実施例３】
【００４４】
図３は本考案に係るゴルフクラブのグリップのさらに別の一実施例をゴルフクラブのシャフトに取り付けた状態を示す説明図である。本実施例についても、ほとんどの構成を実施例１及び実施例２と共通にするため、これらと共通である部分についての説明は省略する。
【００４５】
本実施例では、第二のグリップ（２）が紡錘形状とされている点に特徴がある。すなわち、第二のグリップ（２）の底部側が第一のグリップ（１）の先端側とほぼ同じ径となる形状とされており、これにより、一方の手で第一のグリップを、他方の手で第二のグリップを握った場合、第一のグリップと第二のグリップの間で径が急変して段差が発生することなく、両の手を接触した状態で握っても連続した安定感が得られることになる。
【産業上の利用可能性】
【００４６】
以上説明した通り、本考案によれば、両方の手に自然なフィット感が得られ、以てゴルフクラブのグリップを適切な位置で握ったことが触覚を通じて初心者でも容易に知得可能であり、かつ、単純な断面形状で多くの場面で利用可能なゴルフクラブのグリップ及びこれを備えたゴルフクラブを提供することが可能であり、産業上の利用価値は頗る高い。
【符号の説明】
【００４７】
１      第一のグリップ
１ａ    第一のグリップ底部
１ｂ    第一のグリップ孔
１ｃ    第一のグリップ先端部
２      第二のグリップ
２ａ    第二のグリップ底部
２ｂ    第二のグリップ孔
２ｃ    第二のグリップ先端部
３      ゴルフクラブのシャフト
４      円筒連結体
【図１】
0003223972.tif 000003
【図２】
0003223972.tif 000004
【図３】
0003223972.tif 000005